(57)【要約】【課題】ビデオカメラで正面方向を撮影中、カメラ部を本体部に対し回転させて撮影方向を変更する際、カメラ部の回転に連動してモニタ部の姿勢を維持し、被写体の状況を視認しやすくする。【解決手段】本体部１０に対しカメラ部２０を回転させると、プレートギア４１の歯車４２と噛合う中継ギア４４は、カメラ部２０の回転する方向と同方向に回転し、スライドギア４７が逆方向に回転する。その回転がモニタシャフト５４を介してモニタホルダ２８に伝わり、モニタ部３０はカメラ部２０と逆方向に回転する。この際、カメラ部２０の回転角度とモニタ部３０の回転角度を同じになるように各歯車のギア比を設定すると、カメラ部２０を回転させてもモニタ部３０は回転せず、同じ姿勢が維持される。【選択図】        図１
2004260643.tif 000002
【特許請求の範囲】
【請求項１】
本体部にカメラ部が回転可能に取り付けられ、前記カメラ部にモニタ部が回転可能に取り付けられたモニタ角度維持機構付きビデオカメラにおいて、前記カメラ部を前記本体部に対し回転させた際、前記モニタ部が前記本体部に対し任意に設定された角度を維持するモニタ角度維持機構を備えたことを特徴とするモニタ角度維持機構付きビデオカメラ。
【請求項２】
前記モニタ角度維持機構は、操作手段により任意に前記モニタ部の角度維持を解除する解除機構を備えたことを特徴とする請求項１記載のモニタ角度維持機構付きビデオカメラ。
【請求項３】
前記モニタ角度維持機構は、前記本体部の回転中心のボス外周に設けた歯車と、前記カメラ部に設けた前記歯車と噛み合う歯車を含む複数の歯車からなり、該複数の歯車のうち、１個の歯車が前記モニタ部の回転軸に固定されたことを特徴とする請求項１または２記載のモニタ角度維持機構付きビデオカメラ。
【請求項４】
前記カメラ部に設けた前記複数の歯車は、異なる歯数の下段歯車と上段歯車が同心状に設けられた中継歯車と、前記モニタ部の回転軸が固定されたモニタ歯車からなり、前記ボス外周に設けた歯車と前記下段歯車が噛み合うとともに前記上段歯車とモニタ歯車が噛み合うことを特徴とする請求項３記載のモニタ角度維持機構付きビデオカメラ。
【請求項５】
前記モニタ歯車は、前記モニタ部の回転軸に対し軸方向にスライドし、前記上段歯車との噛み合いを外すことを特徴とする請求項４記載のモニタ角度維持機構付きビデオカメラ。
【発明の詳細な説明】
【０００１】
【発明の属する技術分野】
本発明は、モニタ角度維持機構付きビデオカメラに関し、さらに詳しくは、本体部にカメラ部が回転可能に取り付けられ、またカメラ部にモニタ部が回転可能に取り付けられたビデオカメラにおいて、カメラ部が本体部に対し回転した際、モニタ部が本体部に対し同じ姿勢を維持するようにしたモニタ角度維持機構付きビデオカメラに関する。
【０００２】
【従来の技術】
図６は、従来技術である本体部に対しカメラ部が相対回転するモニタ付きビデオカメラの外観図である。
従来のビデオカメラとして一般的なカメラ一体型ＶＴＲは、本体部１０、カメラ部２０、モニタ部３０からなり、本体部１０に対しカメラ部２０が回転自在に設けられ、またモニタ部３０はカメラ部２０に対し回転自在に設けられており、撮影時及び再生時にカメラ部２０及びモニタ部３０を適宜の位置に回転して、カメラアングルやモニタ画面アングルを最適の状態とし、撮影時の被写体の視認及び再生画像の視認を任意の姿勢で行うことができる。
【０００３】
カメラ部２０は、本体部１０に対しＡ方向、つまり図６に示す状態からカメラレンズの光軸が上向き、または下向きとなるように回転可能であり、またカメラ部２０に設けられたモニタ部３０は、カメラ部２０に対しＢ方向に開閉並びにＣ方向に回転可能である。撮影者が、本体部１０を手で保持し、カメラ部２０及びモニタ部３０を好みの角度に設定して撮影することができる。
【０００４】
また、カメラ部とモニタ部を相対回転可能とした従来技術として、特許文献１に開示されたモニタ付きカメラ一体型記録装置の発明が知られており、この発明においては、記録担体に情報を記録する記録部と液晶表示装置等からなるモニタ部とを、モニタ部が操作者に対向するように配置して一体化した箱体状のモニタ・記録部に対し、カメラ部が、モニタ・記録部の側部に回転機構を介して回転自在に取り付けられ、カメラ部の長手方向を回転機構の回転軸方向と垂直な方向とするもので、これによりカメラ一体型記録装置の使用時にカメラアングルやモニタ画面アングルを自由に設定できるようにしたものである。
【０００５】
【特許文献１】
特開平６−９８２１０号公報
【０００６】
【発明が解決しようとする課題】
前記した従来技術及び特許文献１に開示されたようなビデオカメラでは、例えば正面方向を撮影中に、カメラ部を回転させてカメラアングルを変えて撮影しようとすると、モニタ部も同時に回転してしまい、そのままではモニタから目線がずれてしまうという問題がある。
【０００７】
図７は、従来のビデオカメラの使用時の本体部、カメラ部、モニタ部相互の位置関係を示す図で、図７（Ａ）は正面方向撮影時を示し、図７（Ｂ）、（Ｃ）はそれぞれ上、下方向撮影時を示す図である。
図７（Ａ）のように正面方向撮影中に上方向または下方向を撮影しようとして、カメラ部２０を回転すると、図７（Ｂ）、（Ｃ）のようにモニタ部３０も同時に上方向または下方向を向いてしまうため、目線６０を上下動させてモニタ部３０に合わせるか、モニタ部３０を見やすい角度に調整し直す必要があり、その間に画面がブレたりしてスムーズな連続撮影ができないという問題がある。
【０００８】
したがって、本発明は、カメラ部にモニタ部を有するビデオカメラにおいて、正面方向を撮影中にカメラ部を本体部に対し回転させて撮影方向を変更しようとする時に、カメラ部の回転に連動してモニタ部をカメラ部に対し回転させ、撮影時及び画像再生時に使用者がビデオカメラの操作を容易に行うことができるようにすることを目的とする。
【０００９】
【課題を解決するための手段】
前記目的を達成するため、第１の技術手段は、本体部にカメラ部が回転可能に取り付けられ、前記カメラ部に回転可能なモニタ部を備えたモニタ角度維持機構付きビデオカメラにおいて、前記カメラ部を前記本体部に対し回転させた際、前記モニタ部が前記本体部に対し任意に設定された角度を維持するモニタ角度維持機構を備えたことを特徴とし、撮影最中にモニタ部の角度がカメラ部の回転に連動して回転し姿勢を維持するため、カメラ部を本体部に対し回転させても使用者のモニタを見る目線が変わらず、画面ブレのないスムーズな撮影が可能となる。
【００１０】
また、第２の技術手段は、第１の技術手段のモニタ角度維持機構付きビデオカメラにおいて、前記モニタ角度維持機構は、操作手段により任意に前記モニタ部の角度維持を解除する解除機構を備えたことを特徴とし、モニタ部は任意の角度にロックが可能であり、従来通りの使用方法を選択することが可能となる。
【００１１】
また、第３の技術手段は、第１または２の技術手段のモニタ角度維持機構付きビデオカメラにおいて、前記モニタ角度維持機構は、前記本体部の回転中心のボス外周に設けた歯車と、前記カメラ部に設けた前記歯車と噛み合う歯車を含む複数の歯車からなり、該複数の歯車のうち、１個の歯車が前記モニタ部の回転軸に固定されたことを特徴とし、簡単な構成の角度維持機構で確実にモニタ部の姿勢を維持することが可能となる。
【００１２】
また、第４の技術手段は、第３の技術手段のモニタ角度維持機構付きビデオカメラにおいて、前記カメラ部に設けた前記複数の歯車は、異なる歯数の下段歯車と上段歯車が同心状に設けられた中継歯車と、前記モニタ部の回転軸が固定されたモニタ歯車からなり、前記ボス外周に設けた歯車と前記下段歯車が噛み合うとともに前記上段歯車とモニタ歯車が噛み合うことを特徴とし、簡単な構成で確実にモニタ部の姿勢維持を行うことが可能で、モニタ部のロック解除機構の付加が容易なモニタ角度維持機構が可能となる。
【００１３】
また、第５の技術手段は、第４の技術手段のモニタ角度維持機構付きビデオカメラにおいて、前記モニタ歯車は、前記モニタ部の回転軸に対し軸方向にスライドし、前記上段歯車との噛み合いを外すことを特徴とし、モニタ歯車をスライドするだけでいつでもモニタ部のロックを解除することが可能となる。
【００１４】
【発明の実施の形態】
以下、本発明の実施の形態を図１〜図５に示す実施例に基づいて説明する。
図１は、本発明の実施例によるモニタ角度維持機構付きビデオカメラの要部を分解して示す斜視図である。
図２は、モニタ角度維持機構を分解するとともに拡大して示す斜視図である。
実施例のモニタ角度維持機構付きビデオカメラは、本体部１０、カメラ部２０、モニタ部３０からなり、本体部１０にカメラ部２０が相対回転自在に取り付けられるとともに、カメラ部２０にモニタ部３０が相対回転自在に取り付けられ、カメラ部２０が本体部１０に対し回転すると、モニタ部３０がカメラ部２０の回転に連動して回転し、本体部１０に対する姿勢を維持することができる。
【００１５】
本体部１０は、本体ケース１１内に図示しない記録再生ブロックが搭載され、本体ケース１１の一方の側面中央にはボス１２が形成され、ボス１２の頂面には後記するプレートギア４１を固定するためのネジ穴１３が形成されている。
【００１６】
カメラ部２０は、カメラケース２１とカメラカバー２６からなり、カメラケース２１内に図示しない光学レンズ、カメラ信号処理ブロック及び後記するモニタ角度維持機構４０等が搭載され、カメラケース２１の開口部は、カメラカバー２６によって閉蓋される。カメラケース２１の底面には本体ケース１１に形成されたボス１２を貫通させるボス孔２２が形成されている。カメラカバー２６には、後記するモニタ角度維持機構４０のモニタシャフト５４を貫通するシャフト貫通孔２７が設けられ、モニタシャフト５４の上端にはモニタ部３０を回転自在に支持するためのモニタホルダ２８がネジ２９により取り付けられている。
【００１７】
モニタ部３０は、液晶表示パネル等の平面型の表示装置３１からなり、ビデオカメラで撮影を行う際、被写体を目視確認し、また撮影した画像を再生して視聴する際に使用するもので、表示装置３１の下方に設けられたガイドピン３２，３２がモニタホルダ２８に倒伏自在に取り付けられ、使用時に起立して用いられる。
【００１８】
モニタ角度維持機構４０は、プレートギア４１、中継ギア４４、スライドギア４７等からなり、本体ケース１１に設けられたボス１２をカメラケース２１の底面に設けたボス孔２２に貫通させ、ボス１２の頂部にプレートギア４１を載置し、ネジ４３をネジ穴１３にねじ込んで固定する。また、カメラケース２１の底面に中継ギア軸２３が立設され、下段ギア４５、上段ギア４６が同心状に固定された中継ギア４４が嵌合されており、歯数の多い下段歯車４５はプレートギア４１に噛み合っている。
【００１９】
また、カメラケース２１の底面にはモニタ軸穴２４が形成されており、モニタシャフト５４の下端が嵌入され、カメラカバー２６に形成されたシャフト貫通孔２７を貫通して上方に突出している。モニタシャフト５４の下方部分は半円形のカット面５５を有する断面に形成され、この部分にスライドギア４７に形成された半円形状軸穴５０がスライド自在に嵌合し、その下端位置でスライドギア４７の歯車４８が中継ギア４４の歯数の少ない上段歯車４６と噛み合っている。そして、スライドギア４７を上方にスライドさせることにより、歯車４８と上段歯車４６との噛み合いを外すことができる。
【００２０】
スライドギア４７をスライドさせる機構について説明する。
スライドギア４７の半円形状軸穴５０が形成されたボス部４９には、リング状に凹部５１が形成されている。また、カメラケース２１に形成された切り欠き２５中をスライドするスライド摘み５２の中央には、Ｕ字状の切り欠きを有する板バネ５３が設けられ、その先端部がリング状の凹部５１に挟み込まれ、スライド摘み５２とスライドギア４７とが連結される。したがって、スライド摘み５２をスライドさせると、スライドギア４７がモニタシャフト５４を軸としてスライドし、歯車４８と上段歯車４６との噛み合いをオン・オフすることができる。
【００２１】
図３、図４は、それぞれモニタ角度維持機構の動作を説明するための断面図で、図３はカメラ部の動作にモニタ部の動作が連動する場合の断面図、図４はカメラ部の動作にモニタ部の動作が連動しないようにした場合の断面図である。
また、図５は、本発明のビデオカメラの使用時の本体部、カメラ部、モニタ部相互の位置関係を示す図で、図５（Ａ）は正面方向撮影時を示し、図５（Ｂ）、（Ｃ）はそれぞれ上、下方向撮影時を示す図である。
【００２２】
図３、及び図５（Ａ）に示すように、スライドギア４７の歯車４８が中継ギア４４の上段歯車４６と噛合った状態で、本体部１０に対しカメラ部２０を回転させると、図５（Ｂ），（Ｃ）に示すように、プレートギア４１の歯車４２は固定されているため、噛合う中継ギア４４はカメラケース２１の回転する方向と同じ方向に回転し、更にスライドギア４７が逆方向に回転する。その回転がモニタシャフト５４とともにモニタホルダ２８を回転させ、モニタ部３０はカメラ部２０の回転方向と逆方向に回転する。
【００２３】
この際、カメラ部２０の回転角度とモニタ部３０の回転角度を同じになるように各歯車のギア比を設定すれば、カメラ部２０を回転させてもモニタ部３０が本体部１０に対し回転しないようにすることが可能となる。したがって、モニタ部３０が同じ姿勢に固定されれば、図５（Ｂ），（Ｃ）に示すように目線６０を水平方向に固定したまま、カメラ部２０を上下方向に向けることが可能となる。
【００２４】
一方、図４に示すように、図３の状態からスライド摘み５２を上側にスライドさせることにより、板バネ５３を介してスライドギア４７をスライドさせ、スライドギア４７の歯車４８と中継ギア４４の上段歯車４６が噛合わない状態となり、モニタ部３０の回転がカメラ部２０の回転に連動することがなくなりモニタ部の動作がロックされ、従来通りカメラ部を回すとモニタも同時に回転する。
【００２５】
【発明の効果】
以上の記載から明らかなように、本発明によれば、撮影最中にモニタの角度がカメラ部の回転に連動して回転し姿勢を維持するため、カメラ部を本体部に対し回転させても使用者のモニタを見る目線が変わらず、画面ブレのないスムーズな撮影が可能となる。
また、モニタ部の姿勢は任意の角度にロック可能であり、複数の歯車のうち１個の歯車をスライドさせるだけで、いつでもモニタ部のロック解除が可能となる。
【図面の簡単な説明】
【図１】本発明の実施例によるモニタ角度維持機構付きビデオカメラの要部を分解して示す斜視図である。
【図２】モニタ角度維持機構を分解するとともに拡大して示す斜視図である。
【図３】本体部、カメラ部、モニタ部、モニタ角度維持機構の結合関係を示し、カメラ部の動作にモニタ部の動作が連動する場合の断面図である。
【図４】本体部、カメラ部、モニタ部、モニタ角度維持機構の結合関係を示し、カメラ部の動作にモニタ部の動作が連動しない場合の断面図である。
【図５】本発明のビデオカメラの使用時の本体部、カメラ部、モニタ部相互の位置関係を示す図で、図５（Ａ）は正面方向撮影時を示し、図５（Ｂ）、（Ｃ）はそれぞれ上、下方向撮影時を示す図である。
【図６】従来のビデオカメラの外観図である。
【図７】従来のビデオカメラの使用時の本体部、カメラ部、モニタ部相互の位置関係を示す図で、図７（Ａ）は正面方向撮影時を示し、図７（Ｂ）、（Ｃ）はそれぞれ上、下方向撮影時を示す図である。
【符号の説明】
１０…本体部、１１…本体ケース、１２…ボス、２０…カメラ部、２１…カメラケース、２２…ボス穴、２５…切り欠き、２６…カメラカバー、２７…シャフト貫通孔、２８…モニタホルダ、３０…モニタ部、３２…ガイドピン、４０…モニタ角度維持機構、４１…プレートギア、４２…歯車、４４…中継ギア、４５…下段ギア、４６…上段ギア、４７…スライドギア、４８…歯車、５０…半円形状軸穴、５１…リング状の凹部、５２…スライド摘み、５３…板バネ、５４…モニタシャフト、５５…半円形状カット面、６０…目線。
【図１】
2004260643.tif 000003
【図２】
2004260643.tif 000004
【図３】
2004260643.tif 000005
【図４】
2004260643.tif 000006
【図５】
2004260643.tif 000007
【図６】
2004260643.tif 000008
【図７】
2004260643.tif 000009